(57)【特許請求の範囲】
【請求項１】
直列に接続された複数の蓄電セルと、
２つの前記蓄電セルを相互に接続する接続箇所に電気的に接続された端子部材と、
前記蓄電セルごとに設けられた電圧均等化回路と、
各々に複数の前記電圧均等化回路が設けられた複数の均等化回路基板と、
１つの前記端子部材を１枚の前記均等化回路基板に接続する第１種ケーブルと、
１つの前記端子部材を、異なる２枚の前記均等化回路基板に接続する第２種ケーブルと
を有し、
前記第１種ケーブルは、１枚の前記均等化回路基板に設けられた２つの前記電圧均等化回路と、１つの前記端子部材とを接続し、
前記第２種ケーブルは、当該第２種ケーブルが接続された２枚の前記均等化回路基板に設けられた２つの前記電圧均等化回路と、１つの前記端子部材とを接続する蓄電装置。
【請求項２】
前記端子部材は、前記第１種ケーブル及び前記第２種ケーブルと接続するための第１の接続部を含み、
前記第１種ケーブルは、前記第１の接続部と接続するための第２の接続部を含み、
前記第２種ケーブルは、前記第１の接続部と接続するための第３の接続部を含み、
前記第２の接続部及び前記第３の接続部は、いずれの前記端子部材の前記第１の接続部にも接続可能な構造を有している請求項１に記載の蓄電装置。
【請求項３】
前記第１の接続部は、一対の第１の導電性接触部を含み、
前記第２の接続部及び前記第３の接続部の各々は、一対の前記第１の導電性接触部にそれぞれ接触して電気的接続を得る一対の第２の導電性接触部を含み、
前記第３の接続部の一対の前記第２の導電性接触部は、それぞれ前記第２種ケーブルを介して異なる２枚の前記均等化回路基板に接続されており、
前記第２の接続部の一対の前記第２の導電性接触部の一方は、前記第１種ケーブルを介して前記均等化回路基板に接続されており、他方は、前記均等化回路基板には接続されていない請求項２に記載の蓄電装置。
【発明の詳細な説明】
【技術分野】
【０００１】
本発明は、直列接続された複数の蓄電セル、及び各蓄電セルの電圧を均等化する回路を有する蓄電装置に関する。
【背景技術】
【０００２】
下記の特許文献１に、ラミネート型の蓄電セルを積み重ねて直列接続した蓄電装置が開示されている。複数の蓄電セルの各々が、電圧監視用配線により電圧監視回路に接続されている。蓄電セルの各々から、正極及び負極となる電極タブが引き出されている。この電極タブに端子板が接触し、端子板に電圧監視用配線が接続される。
【０００３】
電圧監視回路は、蓄電セルごとに準備される。１枚の基板に複数の電圧監視回路が実装される。１枚の基板に実装される電圧監視回路の個数は、蓄電セルの個数より少ない。従って、全ての蓄電セルの電圧を監視するために、複数の基板が準備される。
【０００４】
１本の電圧監視用配線は、相互に接続された２つの蓄電セルで共用される。このため、１本の電圧監視用配線が、２つの電圧監視回路に接続される。この２つの電圧監視回路が同一の基板に実装されている場合には、１本の電圧監視用配線が、基板上の配線パターンで２本に分岐される。分岐後の２本の配線パターンが、それぞれ対応する電圧監視回路に接続される。
【０００５】
２つの電圧監視回路が２枚の基板に分かれて実装されている場合には、蓄電セルの相互接続点に２本の電圧監視用配線が接続される。この２本の電圧監視用配線が、それぞれ対応する電圧監視回路が実装された基板に接続される。１本の電圧監視用配線を接続するための端子板と、２本の電圧監視用配線を接続するための端子板との、２種類の端子板が準備される。
【先行技術文献】
【特許文献】
【０００６】
【特許文献１】国際公開第２０１４／０６１３３５号明細書
【発明の概要】
【発明が解決しようとする課題】
【０００７】
蓄電装置の組み立て時に、蓄電セルの複数の相互接続点に、２種類の端子板から適正な端子板を選択して装着しなければならない。装着された端子板の種類に間違いがあると、蓄電セルと電圧監視回路との接続を行うことができない。端子板の装着作業時に、２種類の端子板から適正な端子板を選択する必要があるため、作業効率が低下する。
【０００８】
本発明の目的は、端子板の装着作業の効率を高めることが可能な蓄電装置を提供することである。
【課題を解決するための手段】
【０００９】
本発明の一観点によると、
直列に接続された複数の蓄電セルと、
２つの前記蓄電セルを相互に接続する接続箇所に電気的に接続された端子部材と、
前記蓄電セルごとに設けられた電圧均等化回路と、
各々に複数の前記電圧均等化回路が設けられた複数の均等化回路基板と、
１つの前記端子部材を１枚の前記均等化回路基板に接続する第１種ケーブルと、
１つの前記端子部材を、異なる２枚の前記均等化回路基板に接続する第２種ケーブルと
を有し、
前記第１種ケーブルは、１枚の前記均等化回路基板に設けられた２つの前記電圧均等化回路と、１つの前記端子部材とを接続し、
前記第２種ケーブルは、当該第２種ケーブルが接続された２枚の前記均等化回路基板に設けられた２つの前記電圧均等化回路と、１つの前記端子部材とを接続する蓄電装置が提供される。
【発明の効果】
【００１０】
第１種ケーブル及び第２種ケーブルのいずれも、１つの端子部材に接続される。このため、直列接続された複数の蓄電セルが相互に接続された接続箇所に、この１つの端子部材を取り付ければよい。これにより、組立作業の効率化を図ることができる。
【図面の簡単な説明】
【００１１】
【図１】図１は、実施例による蓄電装置に含まれる複数の蓄電セルの等価回路図、均等化回路モジュールのブロック図、及び蓄電セルと均等化回路モジュールとを接続する端子板とケーブルの概略図である。
【図２】図２は、端子板、第１種ケーブル、及び第２種ケーブルの概略図である。
【図３】図３は、他の実施例による蓄電装置の蓄電セルに接続されるケーブル及び均等化回路モジュールの概略図である。
【図４】図４Ａは、さらに他の実施例による蓄電装置の蓄電セルの斜視図であり、図４Ｂは、蓄電セルを収容するフレーム及び伝熱板の斜視図である。
【図５】図５は、フレーム、及びフレームに収容された蓄電セルの断面図である。
【図６】図６Ａ及び図６Ｂは、それぞれ端子板と電極タブとの接続箇所の断面図及び斜視図である。
【図７】図７Ａ及び図７Ｂはそれぞれ、実施例による蓄電装置の蓋及び下部筐体の斜視図である。
【図８】図８は、下部筐体、及び下部筐体に収容された部品の平面図である。
【図９】図９は、図８に示した蓄電装置の等価回路図である。
【発明を実施するための形態】
【００１２】
図１に、実施例による蓄電装置に含まれる複数の蓄電セルの等価回路図、均等化回路モジュールのブロック図、及び蓄電セルと均等化回路モジュールとを接続する端子板とケーブルの概略図を示す。
【００１３】
各々が一対の電極タブ（電極端子）を有する複数の蓄電セル１０が、電極タブを接続することによって直列接続されている。蓄電セル１０からなる直列回路の両端の２つの電極端子１１、１２に対して１つずつ、端子板１５が接続されている。直列回路の両端以外の相互に接続された２つの蓄電セル１０の相互接続点１３に対して１つずつ端子板１５が接続されている。端子板１５の各々は、第１の接続部１５１を有する。
【００１４】
複数の均等化回路基板２０の各々に、複数の電圧均等化回路２１が実装されている。電圧均等化回路２１は、蓄電セル１０に対応して準備される。１枚の均等化回路基板２０に実装されている電圧均等化回路２１の個数は、直列接続されている蓄電セル１０の総数より少ない。このため、蓄電セル１０の直列接続回路に対して、複数の均等化回路基板２０が準備される。
【００１５】
第１種ケーブル３１が、１本の電流経路３１１及び第２の接続部３１２を含む。電流経路３１１の一方の端部が第２の接続部３１２に接続されている。第２の接続部３１２は、第１の接続部１５１に接続される。第２の接続部３１２が第１の接続部１５１に接続されることにより、第１種ケーブル３１の電流経路３１１が端子板１５に電気的に接続される。電流経路３１１の他方の端部は、均等化回路基板２０のレセプタクル２２に接続される。
【００１６】
第２種ケーブル３２が、２本の電流経路３２１、３２２と、第３の接続部３２３を含む。電流経路３２１、３２２の一方の端部が、第３の接続部３２３に接続されている。第３の接続部３２３は第１の接続部１５１に接続される。第３の接続部３２３が第１の接続部１５１に接続されることにより、第２種ケーブル３２の２本の電流経路３２１、３２２が端子板１５に電気的に接続される。電流経路３２１、３２２の他方の端部は、均等化回路基板２０のレセプタクル２２に接続される。
【００１７】
相互接続点１３の両側の２つの蓄電セル１０にそれぞれ対応する２つの電圧均等化回路２１が、１枚の均等化回路基板２０に実装されている場合、その相互接続点１３に接続された端子板１５は、第１種ケーブル３１により、均等化回路基板２０に接続される。第１種ケーブル３１が、２つの蓄電セル１０で共用される。第１種ケーブル３１が接続される均等化回路基板２０内で、１本の電流経路３１１が、２本の電流経路２３に分岐される。２本の電流経路２３は、均等化回路基板２０に形成された導体パターンで実現される。２本の電流経路２３が、それぞれ２つの蓄電セル１０に対応する電圧均等化回路２１に接続される。
【００１８】
両端の電極端子１１、１２に接続されている端子板１５は、第１種ケーブル３１により均等化回路基板２０に接続される。
【００１９】
相互接続点１３の両側の２つの蓄電セル１０にそれぞれ対応する２つの電圧均等化回路２１が、異なる均等化回路基板２０に実装されている場合、１本の電流経路３１１を、均等化回路基板２０内で２本の電流経路に分岐させることができない。この場合には、相互接続点１３に接続された端子板１５が、第２種ケーブル３２により、対応する電圧均等化回路２１が実装されている２枚の均等化回路基板２０に接続される。
【００２０】
第２の接続部３１２及び第３の接続部３２３は、いずれの端子板１５の第１の接続部１５１にも接続可能な構造を有している。端子板１５として１種類の部品のみが準備されており、両端の電極端子１１、１２、及び全ての相互接続点１３に、同一の構造を有する端子板１５が接続される。
【００２１】
図２に、端子板１５、第１種ケーブル３１、及び第２種ケーブル３２の概略図を示す。端子板１５が第１の接続部１５１を有する。第１の接続部１５１は、一対の第１の導電性接触部１５２を含む。第１の導電性接触部１５２は、端子板１５に連続する。例えば、端子板１５と第１の導電性接触部１５２とは、１枚の導体板で形成される。
【００２２】
第１種ケーブル３１の第２の接続部３１２及び第２種ケーブル３２の第３の接続部３２３の各々が、一対の第２の導電性接触部３５を含む。第２の接続部３１２においては、電流経路３１１が、一方の第２の導電性接触部３５に接続されている。他方の第２の導電性接触部３５は、電流経路３１１に接続されておらず、電気的に孤立している。第３の接続部３２３においては、２本の電流経路３２１、３２２が、それぞれ第２の導電性接触部３５に接続されている。
【００２３】
第１の接続部１５１と第２の接続部３１２とを接続すると、一対の第１の導電性接触部１５２が、それぞれ一対の第２の導電性接触部３５に接触する。第１の導電性接触部１５２と第２の導電性接触部３５との間で電気的接続が得られことにより、電流経路３１１が端子板１５に電気的に接続される。
【００２４】
第１の接続部１５１と第３の接続部３２３とを接続する場合も同様に、一対の第１の導電性接触部１５２が、それぞれ一対の第２の導電性接触部３５に接触する。第１の導電性接触部１５２と第２の導電性接触部３５との間で電気的接続が得られことにより、２本の電流経路３２１、３２２の両方が、端子板１５に電気的に接続される。
【００２５】
第２の接続部３１２の第２の導電性接触部３５の構造と、第３の接続部３２３の第２の導電性接触部３５の構造とは同一である。このため、１種類の端子板１５を準備するのみで、端子板１５を、第１種ケーブル３１及び第２種ケーブル３２のどちらにも接続することができる。
【００２６】
上記実施例においては、相互接続点１３（図１）に端子板１５を介して接続されるケーブルが、第１種ケーブル３１であるか第２種ケーブル３２であるかを考慮することなく、全ての相互接続点１３（図１）に、同一構造の端子板１５を接続すればよい。このため、相互接続点１３に端子板１５を接続する作業の効率を高めることができる。
【００２７】
図３を参照して、他の実施例による蓄電装置について説明する。以下、図１及び図２に示した実施例との相違点について説明し、共通の構成については説明を省略する。
【００２８】
図３は、蓄電セルに接続されるケーブル及び均等化回路モジュールの概略図を示す。図３に示した実施例においては、複数の第１種ケーブル３１及び複数の第２種ケーブル３２を束ねたワイヤハーネス４０が用いられる。１枚の均等化回路基板２０に接続すべき複数の第１種ケーブル３１の電流経路３１１、及び第２種ケーブル３２の一方の電流経路３２１または３２２の、均等化回路基板２０側の端部が束ねられて、１つのプラグ３６に接続されている。プラグ３６は、均等化回路基板２０のレセプタクル２２に接続される。ワイヤハーネス４０を用いることにより、蓄電セル１０（図１）と均等化回路基板２０との接続作業を、より効率化することができる。
【００２９】
次に、図４Ａ〜図９を参照して、さらに他の実施例による蓄電装置について説明する。以下、図１及び図２に示した実施例との相違点について説明し、共通の構成については説明を省略する。以下の実施例では、蓄電セル１０（図１）の構成、及び蓄電装置の構成が具体化される。
【００３０】
図４Ａに、蓄電セル１０の斜視図を示す。蓄電セル１０は、板状のセル本体１０１と、一対の電極タブ１０２とを含む。蓄電セル１０として、リチウムイオン二次電池、リチウムイオンキャパシタ、電気二重層キャパシタ等が用いられる。セル本体１０１は、ほぼ長方形の平面形状を有し、その対向する２つの辺から、それぞれ電極タブ１０２が引き出されている。一対の電極タブ１０２は、その先端において、同一方向に折り曲げられている。
【００３１】
図４Ｂに、蓄電セル１０（図４Ａ）を収容するフレーム５０及び伝熱板５１の斜視図を示す。以下、ｘｙｚ直交座標系を定義して、フレーム５０の構成について説明する。フレーム５０は、ｚ方向に平行な仮想軸を、長方形の外周線に沿って周回する。フレーム５０は、ｘ方向に平行な一対のｘ方向部分５０ｘ及びｙ方向に平行な一対のｙ方向部分５０ｙにより構成される。フレーム５０の内側に蓄電セル１０（図４Ａ）が収容される。フレーム５０のｚ軸の正の方向を向く面を上面と定義し、負の方向を向く面を底面と定義する。フレーム５０の底面に伝熱板５１が取り付けられている。伝熱板５１は、長方形の平面形状を有し、フレーム５０に囲まれた領域の大部分を塞ぐように配置されている。
【００３２】
フレーム５０には、絶縁性の樹脂、例えばＡＢＳ樹脂、ポリブチレンテレフタレート（ＰＢＴ）等が用いられる。伝熱板５１には、熱伝導率の高い金属、例えばアルミニウムが用いられる。
【００３３】
フレーム５０の四隅よりもやや内側の上面に、上方に向かって突出した凸部５０１が形成されている。凸部５０１の各々は、中空の円筒形状を有する。フレーム５０の底面の、凸部５０１に対応する領域に、凹部（図４には現れていない）が形成されている。複数のフレーム５０をｚ方向（上下方向）に重ね合わせる時、下側のフレーム５０の凸部５０１が、上側のフレーム５０の凹部に挿入される。これにより、複数のフレーム５０の、ｘｙ面内における相対位置が拘束される。平面視において凸部５０１及び凹部の内側に、フレーム５０を上下方向に貫通する貫通孔が設けられている。
【００３４】
伝熱板５１は、一対のｙ方向部分５０ｙの間に架け渡されており、ｘ方向部分５０ｘからは離れている。このため、フレーム５０のｘ方向部分５０ｘと伝熱板５１との間に、開口部５０２が形成されている。伝熱板５１は、ｙ方向部分５０ｙの外側の縁よりもさらに外側まではみ出している。はみ出した部分の先端が、冷却板等に熱結合する。これにより、フレーム５０に収容される蓄電セル１０（図４Ａ）を冷却することができる。
【００３５】
ｘ方向部分５０ｘの外周側の表面に、２個の雌ねじ５０３が取り付けられている。雌ねじ５０３は、例えばフレーム５０に形成された凹部に圧入される。雌ねじ５０３が取り付けられた表面から間隙を隔てて、その表面と平行に保護板５０４が配置されている。保護板５０４は、支持壁５０５を介してフレーム５０に支持されている。支持壁５０５は、ｘ方向に垂直な壁、及びフレーム５０の底面をｙ方向に延長した平面に沿う壁（図４Ｂには現れていない）を含む。
【００３６】
保護板５０４に貫通孔５０６が形成されている。貫通孔５０６は、雌ねじ５０３のねじ穴をｙ方向に延長した仮想円柱と保護板５０４との交差箇所に配置されている。貫通孔５０６を通して、雌ねじ５０３にねじを挿入することができる。
【００３７】
一対のｘ方向部分５０ｘの外側の表面に、それぞれ結束部５０７が形成されている。結束部５０７は、門形フレーム形状を有し、ｘ方向に通り抜け可能な開口を画定する。蓄電セル１０（図４Ａ）に接続される第１種ケーブル３１及び第２種ケーブル３２が、結束部５０７に結束される。
【００３８】
フレーム５０、保護板５０４、支持壁５０５及び結束部５０７は、樹脂で一体成型される。伝熱板５１は、例えばフレーム５０にねじ止めされる。または、フレーム５０の成形時に伝熱板５１をフレーム５０に固着させてもよい。
【００３９】
図５に、フレーム５０、及びフレーム５０に収容された蓄電セル１０の断面図を示す。フレーム５０の各々に２枚の蓄電セル１０が収容されて、１つのセルユニット５５が構成される。図５では、２つのセルユニット５５が上下に重ねられた状態が示されている。
【００４０】
２枚の蓄電セル１０が重ねられ、伝熱板５１の上面に載せられている。蓄電セル１０の各々の一方の面は、ほぼ平坦であり、他方の面は、平坦面から盛り上がっている。２枚の蓄電セル１０は、盛り上がった面同士が対向するように重ねられており、フレーム５０の内側に支持されている。
【００４１】
セルユニット５５内の２枚の蓄電セル１０の右側の電極タブ１０２は、ｘ方向部分５０ｘの上方を通って、ｘ方向部分５０ｘと保護板５０４との間の間隙に挿入される。上側に配置された蓄電セル１０の左側の電極タブ１０２は、左側のｘ方向部分５０ｘの上方を通って、ｘ方向部分５０ｘと保護板５０４との間の間隙に挿入される。下側の蓄電セル１０の左側の電極タブ１０２は、左側の開口部５０２を通過して、下側のフレーム５０のｘ方向部分５０ｘと保護板５０４との間の間隙に挿入される。これにより、下側のセルユニット５５の蓄電セル１０に接続される。
【００４２】
ｘ方向部分５０ｘと保護板５０４との間の間隙に端子板１５が挿入される。端子板１５と、電極タブ１０２とが、ねじ５６で締め付けられて、フレーム５０に固定される。これにより、端子板１５が、電極タブ１０２に電気的に接続される。
【００４３】
図６Ａに、端子板１５と電極タブ１０２との接続箇所の断面図を示す。図６Ｂに、端子板１５と電極タブ１０２との接続箇所の分解斜視図を示す。図６Ｂでは、保護板５０４及び支持壁５０５（図４）の記載を省略している。フレーム５０に雌ねじ５０３が固定されている。雌ねじ５０３は、フレーム５０の凹部に圧入されることにより、フレーム５０に固定される。
【００４４】
フレーム５０の外周側の表面上に、端子板１５、２枚の電極タブ１０２、及び角ワッシャ５７がこの順番に積み重ねられている。角ワッシャ５７に２つの貫通孔５７１（図６Ｂ）が形成されている。電極タブ１０２の各々に、Ｕ字状の２つの切り込み１０２１が形成されている。端子板１５に、２つの貫通孔１５３が形成されている。ねじ５６が、角ワッシャ５７の貫通孔５７１、電極タブ１０２の切り込み１０２１、及び端子板１５の貫通孔１５３を通って、雌ねじ５０３に挿入され、締め付けられる。
【００４５】
電極タブ１０２には、例えば厚さ０．２〜０．４ｍｍのアルミニウム板や銅板が用いられる。このように薄い金属板を、ねじ５６で直接締め付けることは、機械的強度の点で好ましくない。端子板１５及び角ワッシャ５７には、電極タブ１０２よりも厚い金属板、例えば錫メッキされた鉄板、ステンレス鋼板等が用いられる。端子板１５及び角ワッシャ５７は、電極タブ１０２よりも高い剛性を有する。
【００４６】
相互に重ね合わされた２枚の電極タブ１０２が、端子板１５と角ワッシャ５７とに挟まれた状態で、ねじ５６と雌ねじ５０３からなる固着具で締め付けられる。このため、電極タブ１０２の、締め付けによる損傷を防止することができる。
【００４７】
端子板１５の一方の端部が、フレーム５０の外周側の表面に対して傾斜するように折れ曲がっている。この傾斜した部分に、第１の接続部１５１が取り付けられている。これにより、第１の接続部１５１に、第１種ケーブル３１の第２の接続部３１２（図２）及び第２種ケーブル３２の第３の接続部３２３（図２）を、容易に接続することができる。
【００４８】
図７Ａ及び図７Ｂに、それぞれ実施例による蓄電装置の蓋６５、及び下部筐体６０の斜視図を示す。図７Ｂに示すように、下部筐体６０は、底板６１及び側板６２を含む。底板６１は、長方形の平面形状を有する第１の部分６１１及び第２の部分６１２を含む。第２の部分６１２は、第１の部分６１１の１つの辺から外側に向かって張り出している。第１の部分６１１と第２の部分６１２との境界に沿って補強リブ６６が形成されている。補強リブ６６は、側板６２より低い。補強リブ６６の上端と蓋６５との間に、隙間が形成される。第２の部分６１２の周囲を取り囲む側板６２及び補強リブ６６により、安全回路収容部６４が画定される。補強リブ６６は、下部筐体６０の剛性を高める。下部筐体６０は、第１の部分６１１から第２の部分６１２まで連続する１つの開口部を有する。
【００４９】
第２の部分６１２とは反対側の側板６２から外側に向かってコネクタ収容部６３が張り出している。コネクタ収容部６３には、第１の部分６１１及び第２の部分６１２に対応する開口部から離れて、他の開口部が設けられている。コネクタ収容部６３の内部の空間は、第１の部分６１１の上の空間と繋がっている。側板６２の上端に、外側に向かって張り出した鍔部６２１が設けられている。鍔部６２１に、複数の貫通孔６２２が形成されている。底板６１、側板６２、鍔部６２１、コネクタ収容部６３、及び安全回路収容部６４は、例えば鋳造法により形成される。
【００５０】
図７Ａに示す蓋６５が、下部筐体６０の第１の部分６１１及び第２の部分６１２に対応する開口部を塞ぐ。コネクタ収容部６３の開口部は、コネクタ部材で塞がれる。蓋６５は、上板６７及び側板６８を含む。側板６８は上板６７の外周部に沿って上板６７を周回する。側板６８の下端に、外方に向かって張り出した鍔部６８１が形成されている。鍔部６８１に、貫通孔６８２が形成されている。上板６７、側板６８、及び鍔部６８１は、鋳造法により形成される。
【００５１】
蓋６５で下部筐体６０の開口部を塞いだ状態で、蓋６５の貫通孔６８２が下部筐体６０の貫通孔６２２と重なる。貫通孔６８２及び貫通孔６２２に挿入されたボルト、及びナットにより、蓋６５が下部筐体６０に固定される。下部筐体６０の底板６１及び蓋６５の上板６７の内部に、冷却用の流路が設けられている。
【００５２】
図８に、下部筐体６０、及び下部筐体６０に収容された部品の平面図を示す。２つの蓄電モジュール７０が、下部筐体６０に収容されている。蓄電モジュール７０の各々は、厚さ方向に積み重ねられた複数のセルユニット５５を含む。底板６１の第１の部分６１１に、蓄電モジュール７０が固定されている。
【００５３】
積み重ねられたセルユニット５５の両端に、それぞれ加圧板７０４及び７０５が配置されている。一方の加圧板７０５から他方の加圧板７０４まで、複数のタイロッド７０９が架け渡されている。タイロッド７０９は、フレーム５０の凸部５０１（図４）内に形成されている貫通孔を通過する。タイロッド７０９をナットで締め付けることにより、複数のセルユニット５５に圧縮力が印加される。これにより、セルユニット５５に保持されている蓄電セル１０（図５）に圧縮力が印加される。
【００５４】
加圧板７０４、７０５に、それぞれ第１の接続端子７０２及び第２の接続端子７０３が取り付けられている。直列接続された両端の蓄電セル１０（図１）の一方の電極タブ１０２が、直列回路の電極端子１１、１２（図１）に相当する。電極端子１１が第１の接続端子７０２に接続されており、他方の電極端子１２が第２の接続端子７０３に接続されている。
【００５５】
安全回路収容部６４内に、第１の固定端子８１、第２の固定端子８２、及び安全回路モジュール８８が収容されている。安全回路モジュール８８の一方の端子が第１の固定端子８１に接続されており、他方の端子が第２の固定端子８２に接続されている。安全回路モジュール８８は、例えばヒューズ及び安全スイッチを含む。
【００５６】
ケーブル４１が、一方の蓄電モジュール７０の第１の接続端子７０２と第１の固定端子８１とを接続する。ケーブル４２が、他方の蓄電モジュール７０の第１の接続端子７０２と第２の固定端子８２とを接続する。ケーブル４１、４２は、平面視において補強リブ６６と交差する。
【００５７】
下部筐体６０の第１の部分６１１に、リレー回路モジュール８７、２つの均等化回路モジュール４５が固定されている。リレー回路モジュール８７は、バスバー等を介して、２つの蓄電モジュール７０の第２の接続端子７０３に接続されている。
【００５８】
コネクタ収容部６３内にコネクタ８９が収容されている。コネクタ８９は、リレー回路モジュール８７に接続されている。コネクタ８９を通して、蓄電モジュール７０が、外部の装置、例えばＤＣ−ＤＣコンバータ等に接続される。
【００５９】
２つの均等化回路モジュール４５は、それぞれ２つの蓄電モジュール７０の一方の加圧板７０５と、それに対向する側板６２との間に配置されている。均等化回路モジュール４５は、複数の均等化回路基板２０（図１）を含む。均等化回路モジュール４５は、第１種ケーブル３１及び第２種ケーブル３２により、蓄電モジュール７０の各蓄電セル１０（図１）に接続されている。
【００６０】
図９に、図８に示した蓄電装置の等価回路図を示す。２つの蓄電モジュール７０の各々が、直列接続された複数の蓄電セル１０を含む。一方の蓄電モジュール７０の電極端子１１が、安全回路モジュール８８を介して他方の蓄電モジュール７０の電極端子１１に接続されている。安全回路モジュール８８は、相互に直列接続された安全スイッチ８８１及びヒューズ８８２を含む。
【００６１】
２つの蓄電モジュール７０の電極端子１２が、それぞれリレー回路モジュール８７を介してコネクタ８９に接続されている。リレー回路モジュール８７に含まれる１つのリレーに直列に接続された抵抗素子は、外部のキャパシタをプリチャージする際の突入電流を防止する。
【００６２】
蓄電セル１０の各々が、第１種ケーブル３１または第２種ケーブル３２により、電圧均等化回路２１に接続されている。
【００６３】
図４〜図９に示した実施例において用いられる端子板１５（図６Ａ、図６Ｂ）、第１種ケーブル３１、及び第２種ケーブル３２は、図１及び図２に示した実施例で用いられるものと同一である。このため、図１及び図２に示した実施例と同様に、蓄電装置の組立作業の効率化を図ることが可能である。
【００６４】
以上実施例に沿って本発明を説明したが、本発明はこれらに制限されるものではない。例えば、種々の変更、改良、組み合わせ等が可能なことは当業者に自明であろう。
【符号の説明】
【００６５】
１０  蓄電セル
１１、１２  直列回路の両端の電極端子
１３  相互接続点
１５  端子板
２０  均等化回路基板
２１  電圧均等化回路
２２  レセプタクル
２３  分岐された電流経路
３１  第１種ケーブル
３２  第２種ケーブル
３５  第２の導電性接触部
３６  プラグ
４０  ワイヤハーネス
４１、４２  ケーブル
４５  均等化回路モジュール
５０  フレーム
５０ｘ  ｘ方向部分
５０ｙ  ｙ方向部分
５１  伝熱板
５５  セルユニット
５６  ねじ
５７  角ワッシャ
６０  下部筐体
６１  底板
６２  側板
６３  コネクタ収容部
６４  安全回路収容部
６５  蓋
６６  補強リブ
６７  上板
６８  側板
７０  蓄電モジュール
８１  第１の固定端子
８２  第２の固定端子
８７  リレー回路モジュール
８８  安全回路モジュール
８９  コネクタ
１０１  セル本体
１０２  電極タブ
１５１  第１の接続部
１５２  第１の導電性接触部
１５３  貫通孔
３１１  電流経路
３１２  第２の接続部
３２１、３２２  電流経路
３２３  第３の接続部
５０１  凸部
５０２  開口部
５０３  雌ねじ
５０４  保護板
５０５  支持壁
５０６  貫通孔
５０７  結束部
５７１  貫通孔
６１１  第１の部分
６１２  第２の部分
６２１  鍔部
６２２  貫通孔
６８１  鍔部
６８２  貫通孔
７０２  第１の接続端子
７０３  第２の接続端子
７０４、７０５  加圧板
７０９  タイロッド
８８１  安全スイッチ
８８２  ヒューズ
１０２１  切り込み
【図１】
0006452402.tif 000002
【図２】
0006452402.tif 000003
【図３】
0006452402.tif 000004
【図４】
0006452402.tif 000005
【図５】
0006452402.tif 000006
【図６】
0006452402.tif 000007
【図７】
0006452402.tif 000008
【図８】
0006452402.tif 000009
【図９】
0006452402.tif 000010